(57)【特許請求の範囲】
【請求項１】
第１の医療機関の第１のサーバーと、前記第１の医療機関と異なる第２の医療機関の第２のサーバーと、前記第１、２のサーバーとそれぞれ通信可能な端末装置とを有する服薬管理システムであって、
前記第１のサーバーは、
前記第１の医療機関の、ユーザに対する第１の薬剤の処方に基づく薬剤の薬剤識別情報と服薬予定に関する予定情報とを有する服薬管理情報を前記端末装置に送信する管理情報送信手段を有し、
前記端末装置は、
前記第１のサーバーまたは前記第２のサーバーと通信する通信手段と、
前記第１のサーバーから前記通信手段を介して受信した前記服薬管理情報を記憶するメモリと、
前記薬剤の服薬に関する服薬履歴情報を前記ユーザから受け付けた場合に、前記服薬管理情報に含まれる前記予定情報と関連付けて前記メモリに記憶すると共に、前記服薬履歴情報と前記服薬管理情報とに基づく、処方された前記薬剤のうち服薬済みではない薬剤の有無に関する未服薬情報と、記憶された前記服薬管理情報及び前記服薬履歴情報のうち一定期間内の前記服薬管理情報及び前記服薬履歴情報とを、前記ユーザに対する第２の薬剤の処方を行う第２の医療機関の第２のサーバーに前記通信手段を介して送信する服薬管理手段とを有し、
前記第２のサーバーは、
前記端末装置から前記未服薬情報と、前記一定期間内の服薬管理情報及び服薬履歴情報とを受信する受信手段と、
前記第２の薬剤の処方を行うときに、前記未服薬情報と前記一定期間内の服薬管理情報及び服薬履歴情報とを出力する出力手段と、
を有することを特徴とする服薬管理システム。
【請求項２】
請求項１において、
前記出力手段は、前記薬剤の併用禁忌の回避のために参照される前記未服薬情報と前記一定期間内の服薬管理情報及び服薬履歴情報とを出力する服薬管理システム。
【請求項３】
請求項１または２のいずれかにおいて、
前記端末装置の前記服薬管理手段は、前記予定情報に基づいて、前記薬剤を服薬する日時に、前記薬剤の服薬を促す服薬喚起画面を前記端末装置の表示画面に出力する服薬管理システム。
【請求項４】
請求項１乃至３のいずれかにおいて、
前記服薬管理情報は、さらに、前記第１の医療機関で処方された前記予定情報が規定されていない他の薬剤の薬剤識別情報と、その服薬単位数量と、服薬限度期間内の服薬限度数量とを有し、
前記端末装置の前記服薬管理手段は、服薬対象の前記他の薬剤の前記薬剤識別情報の入力に応答して、前記メモリに記憶された当該他の薬剤の服薬履歴情報に基づいて服薬により前記服薬限度期間内の服薬限度数量を超えるか否かを判定し、超えない場合に前記他の薬剤の服薬履歴情報の入力を促し、入力された当該服薬履歴情報を前記服薬管理情報に関連付けて前記メモリに記憶する服薬管理システム。
【請求項５】
第１の医療機関の第１のサーバーが、前記第１の医療機関と異なる第２の医療機関の第２のサーバーと、前記第１、２のサーバーとそれぞれ通信可能な端末装置によって服薬管理サービスを提供する方法であって、
前記第１のサーバーが、前記第１の医療機関の、ユーザに対する第１の薬剤の処方に基づく薬剤の薬剤識別情報と服薬予定に関する予定情報とを有する服薬管理情報を前記端末装置に送信する管理情報送信工程と、
前記端末装置が、前記第１のサーバーから受信した前記服薬管理情報を記憶し、前記予定情報に対応する前記薬剤の服薬に関する服薬履歴情報を前記ユーザから受け付けた場合に、前記服薬管理情報に含まれる前記予定情報と関連付けて記憶すると共に、前記服薬履歴情報と前記服薬管理情報とに基づく、処方された前記薬剤のうち服薬済みではない薬剤の有無に関する未服薬情報と、記憶された前記服薬管理情報及び前記服薬履歴情報のうち一定期間内の前記服薬管理情報及び前記服薬履歴情報とを、前記ユーザに対する第２の薬剤の処方を行う第２の医療機関の第２のサーバーに送信する服薬管理工程と、
前記第２のサーバーが、前記端末装置から、前記未服薬情報と、前記一定期間内の服薬管理情報及び服薬履歴情報とを受信する未服薬情報受信工程と、
前記第２のサーバーが、前記第２の薬剤の処方を行うときに、前記未服薬情報と前記一定期間内の服薬管理情報及び服薬履歴情報とを出力する出力工程と、
を有することを特徴とする服薬管理サービスを提供する方法。
【請求項６】
第１の医療機関の第１のサーバーと、前記第１の医療機関と異なる第２の医療機関の第２のサーバーとそれぞれ通信可能な端末装置のプロセッサに、薬剤の服薬管理処理を実行させる前記プロセッサ読み取り可能な服薬管理プログラムにおいて、
前記服薬管理処理は、
前記第１の医療機関の、ユーザに対する第１の薬剤の処方に基づく薬剤の薬剤識別情報と服薬予定に関する予定情報とを有する服薬管理情報を前記第１のサーバーから受信して記憶し、前記薬剤の服薬に関する服薬履歴情報を前記ユーザから受け付けた場合に、前記服薬管理情報に含まれる前記予定情報と関連付けて記憶すると共に、前記服薬履歴情報と前記服薬管理情報とに基づく、処方された前記薬剤のうち服薬済みではない薬剤の有無に関する未服薬情報と、記憶された前記服薬管理情報及び前記服薬履歴情報のうち一定期間内の前記服薬管理情報及び前記服薬履歴情報とを、前記ユーザに対する第２の薬剤の処方を行う第２の医療機関の前記第２のサーバーに送信する服薬管理工程を、有する服薬管理プログラム。
【請求項７】
第１の医療機関で患者に対して処方された薬剤の薬剤識別情報と服薬予定に関する予定情報とを含む服薬管理情報を第１の医療機関の第１のサーバーから受信して記憶し、
前記患者から前記薬剤の服薬状況を示す服薬履歴情報を受け付けると、前記服薬管理情報に含まれる前記予定情報に関連付けて記憶し、
前記第１の医療機関とは異なる第２の医療機関の第２のサーバーから前記患者についての薬剤の服薬状況の情報取得依頼を受信すると、前記服薬履歴情報と前記服薬管理情報とから前記第１の医療機関で前記患者に処方された薬剤のうち、一定期間内に服薬済みの薬剤及び服薬済みではない薬剤に関する薬剤情報を抽出し、
抽出した前記薬剤情報を前記第２のサーバーに送信する
処理をコンピュータに実行させる服薬管理プログラム。
【発明の詳細な説明】
【技術分野】
【０００１】
本発明は、服薬管理システム、服薬管理サービスを提供する方法、及び、服薬管理プログラムに関する。
【背景技術】
【０００２】
病院や薬局等の医療機関では、処方された薬剤同士の相互作用によって副作用が生じ、死亡事故に発展するケースがある。そこで、医師または薬剤師は、患者に薬剤を処方する際、処方対象の薬剤同士の相互作用による副作用が生じないか否かのチェック（以下、併用禁忌チェック）を行う。また、薬剤の処方時、併用禁忌チェックに加え、薬剤の処方量が限度を超えていないか否かのチェック（以下、極量チェック）、同じ薬剤を重複して処方していないか否かのチェック（以下、重複投与チェック）等も合わせて行われる（以下、これらのチェックを総称して薬剤の処方チェックという）。
【０００３】
近年では、ひとつの医療機関内の複数の診療科や薬局によって、それぞれ独立的に処方される薬剤についてコンピューターによる併用禁忌チェックが行われる（例えば、先行文献１）。しかし、併用禁忌チェックを含む薬剤の処方チェックは、１つの医療機関内だけでなく、複数の医療機関間で行われる必要がある。今日、複数の医療機関間における薬剤の処方チェックは、例えば医療機関から提供される「薬識手帳」や「お薬手帳」等を介して行われている。しかしながら、手帳の不携帯や紛失等によって有効に機能していないのが現状である。
【０００４】
一方、近年、複数の医療機関が連携して患者の治療にあたる地方医療連携が提案されており、地方医療連携システムの導入が開始されている。地方医療連携システムは、複数の医療機関の間での患者の検査結果や経過情報を共有することによって、重複検査の削減及び有効な治療を目指すものである。地方医療連携システムによると、それぞれの医療機関の薬剤の処方データを共有することによって、複数の医療機関の間での薬剤の処方チェックが可能になる。例えば、病院Ｂは、地域医療連携システムが共有する複数の医療機関による処方データに基づいて、ある患者に対して、病院Ａで処方された薬剤と併用禁忌等に当たらないように薬剤を処方することができる。
【先行技術文献】
【特許文献】
【０００５】
【特許文献１】特開平８−５７０２１号公報
【発明の概要】
【発明が解決しようとする課題】
【０００６】
しかしながら、地方医療連携システムの導入は、複数の医療機関の医療情報を管理するサーバーが必要になり各医療機関にとって費用を要するため、その導入があまり進んでいない。また、地域医療連携システムでは、それぞれの医療機関の薬剤の処方データを共有しているものの、処方した薬剤が、実際に患者によって何時どの程度服薬されているかを示す服薬履歴情報は共有していない。そのため、薬剤の処方チェックが不十分である。
【０００７】
そこで、本発明は、異なる医療機関間での適切な薬剤の処方チェックを可能にする服薬管理システム、服薬管理サービスを提供する方法、及び、服薬管理プログラムを提供する。
【課題を解決するための手段】
【０００８】
第１の側面は、第１の医療機関の第１のサーバーと、
第２の医療機関の第２のサーバーと、
前記第１、２のサーバーとそれぞれ通信可能な端末装置とを有する服薬管理システムであって、
前記第１のサーバーは、
前記第１の医療機関で処方された薬剤の薬剤識別情報と服薬予定に関する予定情報とを有する服薬管理情報を前記端末装置に送信する管理情報送信手段を有し、
前記端末装置は、
前記第１のサーバーまたは前記第２のサーバーと通信する通信手段と、
前記第１のサーバーから前記通信手段を介して受信した前記服薬管理情報を記憶するメモリと、
前記薬剤の服薬に関する服薬履歴情報をユーザから受け付けた場合に、前記服薬管理情報に含まれる前記予定情報と関連付けて前記メモリに記憶すると共に、前記服薬履歴情報と前記服薬管理情報とに基づいて、処方された前記薬剤のうち服薬済みではない薬剤の有無に関する未服薬情報を前記第２のサーバーに前記通信手段を介して送信する服薬管理手段とを有し、
前記第２のサーバーは、
前記端末装置から前記未服薬情報を受信する受信手段を有する。
【発明の効果】
【０００９】
第１の側面によれば、異なる医療機関間での適切な薬剤の処方チェックを可能にする。
【図面の簡単な説明】
【００１０】
【図１】本実施の形態例における服薬管理システムの一例を表す図である。
【図２】Ａ病院のサーバーを構成の一例を表す図である。
【図３】携帯電話端末の構成の一例を表す図である。
【図４】本実施の形態例における服薬管理システムの概要フローチャート図である。
【図５】薬剤と共に提供される服薬管理、薬剤識別バーコードの一例を表す図である。
【図６】処方情報に基づく薬剤及びバーコードの提供に係るフローチャート図である。
【図７】服薬管理情報ＤＢが有する服薬管理情報の一例を表す図である。
【図８】携帯電話端末に記憶される服薬管理情報の一例を表す図である。
【図９】服薬履歴情報の入力に係る処理の詳細を説明するフローチャート図である。
【図１０】内服薬の服薬履歴情報入力時の携帯電話端末の画面遷移を表す例図である。
【図１１】服薬管理情報に関連付けて記憶された服薬履歴情報の一例を表す図である。
【図１２】頓服薬の服薬履歴情報入力時の携帯電話端末の画面遷移を表す例図である。
【発明を実施するための形態】
【００１１】
以下、図面にしたがって本発明の実施の形態について説明する。ただし、本発明の技術的範囲はこれらの実施の形態に限定されず、特許請求の範囲に記載された事項とその均等物まで及ぶものである。
【００１２】
［服薬管理システムの構成］
図１は、本実施の形態例における服薬管理システムの一例を表す図である。同図の服薬管理システムは、例えば、医療機関であるＡ病院ＨＡの有するサーバー（第１のサーバー）１０と、Ａ病院ＨＡとは別のＢ病院ＨＢの有するサーバー（第２のサーバー）８０と、携帯電話端末（端末装置）３０とを有する。携帯電話端末３０は、各病院ＨＡ、ＨＢのサーバー１０、８０それぞれと通信可能である。この例において、携帯電話端末３０は、Ａ病院ＨＡのサーバー１０と、インターネットや携帯電話会社固有の通信網、非接触型ＩＣカード等を介して双方向の無線通信や非接触通信が可能であり（ｎ１）、Ｂ病院ＨＢのサーバー８０に対して、同様にして少なくとも情報の送信が可能である（ｎ２、ｎ３）。
【００１３】
続いて、Ａ病院ＨＡのサーバー１０と携帯電話端末３０の構成についてそれぞれ説明する。
【００１４】
［Ａ病院のサーバー１０の構成］
図２は、Ａ病院のサーバー１０を構成の一例を表す図である。Ａ病院のサーバー１０は、例えば、電子カルテシステムＳ１、調剤システムＳ２、服薬管理情報ＤＢ１１、服薬管理情報インターフェースＳ３を有する。電子カルテシステムＳ１は、医師が患者の診療結果情報や薬剤の処方情報を入力するシステムである。Ａ病院の医師は、コンピューター端末Ｃ１の電子カルテシステムインターフェイスＡ１を介して、患者の診療結果情報や薬剤の処方情報ＰＸ１、ＰＸ２を入力する。そして、電子カルテシステムＳ１に入力された薬剤の処方情報ＰＸ１、ＰＸ２は、服薬管理情報の形式に変換され服薬管理情報ＤＢ１１に記憶される。
【００１５】
また、電子カルテシステムＳ１は、薬剤の処方情報ＰＸ１、ＰＸ２と、服薬管理情報ＤＢ１１から管理対象の服薬管理情報を特定するための服薬管理バーコード情報ＢＣを、サーバー１０の調剤システムＳ２に出力する。そして、Ａ病院の薬剤師は、コンピューター端末Ｃ２の調剤システムインターフェイスＡ２を介して、電子カルテシステムＳ１から出力された情報に基づいて、薬剤と共に、印刷した当該薬剤に対応する服薬管理バーコードＢＣ及び薬剤識別バーコードＢＤを患者に提供する。また、サーバー１０の服薬管理情報インターフェースＳ３は、携帯電話端末３０からの服薬管理バーコードＢＣに基づく服薬管理情報の送信要求に応答して、服薬管理情報ＤＢ１１から取得した対象の服薬管理情報を携帯電話端末３０に送信する。
【００１６】
［携帯電話端末３０の構成］
図３は、携帯電話端末３０の構成の一例を表す図である。同図の携帯電話端末３０は、本実施の形態例における端末装置の一例である。同図の携帯電話端末３０は、例えば、プロセッサ３１、表示部３２、操作部３３、制御部３４、通信ユニット３５、カメラユニット３６、スピーカーユニット３７、メモリ３８を有する。通信ユニット３５は、基地局との間の無線通信や非接触通信を実現し、カメラユニット３６は画像やバーコードの読み取り処理を行い、スピーカーユニット３７は着信音や受話音声等を出力する。また、表示部３２は、操作画面や喚起情報等を表示画面へ出力し、操作部３３は文字等の入力操作やメニュー選択等の操作を受け付ける。そして、制御部３４は、携帯電話端末３０全体の動作を制御する。
【００１７】
また、メモリ３８には、服薬管理アプリケーションプログラム（以下、服薬管理アプリケーション）２１、服薬管理情報ＰＤ及び服薬履歴情報ＰＨが記憶される。服薬管理アプリケーション２１は、携帯電話端末３０と協働することによって本実施の形態例における服薬管理手段を実現する。服薬管理アプリケーション２１の処理、服薬管理情報ＰＤ及び服薬履歴情報ＰＨの詳細については、後述する。また、図示していないが、メモリ３８には、携帯電話端末３０の各ユニットの制御プログラムや、電話帳やメールアドレス等のユーザ情報も記憶される。
【００１８】
なお、図３において、本実施の形態例における端末装置の一例として携帯電話端末３０が例示されているが、この例に限定されるものではない。本実施の形態例の端末装置は、情報携帯端末（ＰＤＡ：Personal Digital Assistant）やカメラ付きのモバイル型コンピューター等であってもよい。
【００１９】
［本実施の形態例の服薬管理システムの概要］
続いて、本実施の形態例における服薬管理システムの処理の概要について説明する。本実施の形態例では、Ａ病院ＨＡで薬剤の処方を受けた患者が、当該薬剤の服薬期間中にＢ病院ＨＢで薬剤の処方を受ける場合について例示する。本実施の形態例における服薬管理システムは、Ａ病院で処方された薬剤情報である服薬管理情報ＰＤと、その服薬状況を示す服薬履歴情報ＰＨとを患者の携帯電話端末３０に記憶させ、服薬管理情報ＰＤと服薬履歴情報ＰＨに基づいて、服薬済みではない薬剤の有無に関する未服薬情報をＢ病院ＨＢの診療時にＢ病院のサーバー８０に供給する。これにより、服薬管理システムは、Ｂ病院ＨＢの医師による薬剤処方時の適切な薬剤の処方チェック（併用禁忌チェック、極量チェック、重複投与チェック等）を可能にする。
【００２０】
前述したとおり、併用禁忌は、薬剤を併用して服薬する場合の副作用、作用の増強、減弱等の影響を及ぼす薬剤の組み合わせである。また、極量は、過量の服薬によって危険が発生する定量である。重複投与は、同じ薬剤を重複して処方することである。Ａ病院ＨＡで処方された薬剤を服薬中の患者がＢ病院ＨＢで新たに薬剤の処方を受ける場合、服薬中の薬剤との併用禁忌チェック、極量チェック、重複投与チェック等の薬剤の処方チェックが適切に行われる必要がある。
【００２１】
図４は、本実施の形態例における服薬管理システムの概要を説明するフローチャート図である。初めに、患者がＡ病院で薬剤の処方を受けると、Ａ病院の医師は処方する薬剤の情報ＰＸ１、ＰＸ２を電子カルテシステムＳ１（図２）に入力する（Ｓ１１）。その結果、処方する薬剤の情報が服薬管理情報ＰＤの形式に変換され、服薬管理情報ＤＢ１１に記憶される。また、電子カルテシステムＳ１は、処方された薬剤の情報と、当該処方された薬剤の情報に対応する服薬管理情報ＰＤを服薬管理情報ＤＢ１１から特定する服薬管理バーコード情報とを、調剤システムＳ２に出力する。そして、調剤システムＳ２は、処方された薬剤の情報と服薬管理バーコード情報とに基づいて、薬剤と共に、服薬管理バーコード及び薬剤識別バーコードを患者に提供する（Ｓ１２）。工程Ｓ１２の処理の詳細については、後述する。ここで、服薬管理バーコード及び薬剤識別バーコードの例を提示する。
【００２２】
図５は、薬剤と共に患者に提供される服薬管理バーコード及び薬剤識別バーコードの一例を表す図である。薬剤は、例えば、薬袋Ｅｎ、Ｅｔと、当該薬剤に関する詳細な説明が記載された薬剤の説明書（例えば、お薬説明書）Ｍｄと共に提供される。薬袋Ｅｎ、Ｅｔには、例えば、処方された薬剤の名前、服薬開始日と用法、１回の服薬数量（以下、服薬単位数量）等が記載される。本実施の形態例では、薬袋Ｅｎ、Ｅｔやお薬説明書Ｍｄに服薬管理バーコードＢＣ及び薬剤識別バーコードＢＤ１〜ＢＤ５が印刷される。
【００２３】
服薬管理バーコードＢＣは、Ａ病院から１回に処方された薬剤全体に対応し、服薬管理情報ＤＢ１１から、１回に処方された薬剤全てに対応する服薬管理情報を特定する情報を有する。後述するが、服薬管理バーコードＢＣは、Ａ病院のサーバー１０から服薬管理情報ＤＢ１１のうち処方された薬剤の服薬管理情報を特定し、受信するために使用される。一方、薬剤識別バーコードＢＤ１〜ＢＤ５は、Ａ病院から処方された各薬剤、または一包化された薬剤ｍ１〜ｍ４に対応する服薬管理情報を特定する情報を有する。後述するが、薬剤識別バーコードＢＤ１〜ＢＤ５は、服薬対象薬剤の識別チェック、服薬対象薬剤の情報入力時に使用される。なお、図５の例では各バーコードが２次元バーコードである場合を例示しているが、１次元バーコード等であってもよい。
【００２４】
ここで、薬剤の前提知識について説明する。本実施の形態例では、薬剤は主に内服薬と頓服薬とに大別される。内服薬は服薬予定に関する予定情報が規定され定期的に服薬される薬剤であり、頓服薬は予定情報が規定されず症状が発生して必要になった時に服薬される薬剤である。予定情報とは、例えば、薬剤を服薬する日、服薬する日時等を示す。図５の例において、薬袋Ｅｎは内服薬を内包し、薬袋Ｅｔは頓服薬を内包している。
【００２５】
なお、内服薬及び頓服薬は薬剤の種別の一例であり、この例に限定されるものではない。本実施の形態例における服薬管理システムは、管理対象の薬剤として外用薬、注射等の用法の薬剤を含んでいてもよい。
【００２６】
図５において、具体的に、薬袋Ｅｎは、予定情報が規定された内服薬（薬Ａ、薬Ｂ、薬Ｃ、薬Ｄ）を１４日分内包する。薬Ａ（ｍａ）は毎食前（朝食前、昼食前、夕食前）に１錠、薬Ｂ（ｍｂ）は夕食前に１錠を、薬Ｃ（ｍｃ）は就寝前に２錠、薬Ｄ（ｍｄ）は毎食前に１錠、１４日の間、服薬される。即ち、患者は、朝食前及び昼食前に薬Ａ（ｍａ）、薬Ｄ（ｍｄ）を１錠ずつ、夕食前に薬Ａ（ｍａ）、薬Ｂ（ｍｂ）、薬Ｄ（ｍｄ）を１錠ずつ、就寝前に薬Ｃ（ｍｃ）を２錠服薬する。このように、内服薬には予定情報が規定される。
【００２７】
ところで、上記のように、服薬対象の内服薬が複数ある場合、予定情報に基づく服薬予定日、または服薬予定日時によって服薬対象の薬剤の数量や種類が異なり、誤服薬や服薬漏れが生じやすい。そこで、同図の薬袋Ｅｎの吹き出しｍｐように、服薬機会毎に服薬対象の薬剤が一包化される。これにより、患者は、予定情報に基づく服薬機会毎に対応した一包化薬剤ｍ１〜ｍ４を服薬すればいいため、誤服薬や服薬漏れを予防することができる。
【００２８】
一方、図５において、薬袋Ｅｔは、５回分の頓服薬Ｅを内包する。この例において、頓服薬Ｅは頭痛時に必要に応じて服薬される。ただし、頓服薬には、一定期間内（以下、服薬限度期間内）の服薬限度数量が設けられていることがあり、服薬限度数量を超える服薬は回避されなければならない。本実施の形態例において、頓服薬Ｅの服薬限度期間内の服薬限度数量は、１日（２４時間）に３錠であるものとする。なお、本実施の形態例における頓服薬Ｅの服薬単位数量は１錠であるため一包化の必要性はないが、頓服薬も同様に一包化されてもよい。
【００２９】
図５において、薬袋Ｅｎ、Ｅｔお薬説明書Ｍｄにそれぞれ印刷された服薬管理バーコードＢＣは同一であり、Ａ病院で６月３０日に患者が処方された薬剤全体（薬Ａ〜薬Ｅ）の服薬管理情報に対応する。また、同図において、薬剤識別バーコードＢＤ１〜ＢＤ４は一包化された薬剤ｍ１〜ｍ４それぞれに、薬剤識別バーコードＢＤ５は頓服薬Ｅに対応する。
【００３０】
図４の概要フローチャート図に戻り、薬剤と共にバーコードが患者に提供された（Ｓ１２）後の工程について説明する。この後続の工程Ｓ１３〜Ｓ１６は、患者の携帯電話端末３０側における操作または処理である。工程Ｓ１３で、患者は、図５の薬袋Ｅｃ、Ｅｔ、お薬説明書Ｍｄに印刷された服薬管理バーコードＢＣを携帯電話端末３０のカメラユニット３６によって読み取り、当該バーコードＢＣによって特定される服薬管理情報ＤＢ１１（図２）内の本人に６月３０日に処方された薬剤に対応する服薬管理情報ＰＤを受信する（Ｓ１３）。受信された服薬管理情報ＰＤは、携帯電話端末３０のメモリ３８に記憶される。
【００３１】
服薬管理情報ＰＤの受信後（Ｓ１３）、携帯電話端末３０の服薬管理アプリケーション２１は、服薬履歴情報ＰＨの入力を受け付け可能状態となる。そこで、服薬管理アプリケーション２１は、薬剤の服薬に関する服薬履歴情報ＰＨを患者から受け付け、服薬管理情報ＰＤに含まれる予定情報に関連付けてメモリ３８に記憶する（Ｓ１４）。この工程Ｓ１４の処理の詳細については後述する。このように、服薬管理システムは、携帯電話端末３０のメモリ３８に、服薬管理情報ＰＤとその服薬履歴情報ＰＨとを記憶させる。携帯電話端末３０は患者によって常時携帯され、情報の即時的な入力を可能にすることから、携帯電話端末３０には常に最新の服薬履歴情報ＰＨが記憶される。
【００３２】
そして、患者が次にＢ病院ＨＢを受診して薬剤の処方を受ける場合（Ｓ１５のＹＥＳ）、患者は、服薬管理アプリケーション２１を介して、携帯電話端末３０に記憶された薬剤管理情報ＰＤと服薬履歴情報ＰＨとに基づく未服薬情報をＢ病院のサーバー８０に送信する（Ｓ１６）。薬剤管理情報ＰＤと服薬履歴情報ＰＨは、例えば、Ｂ病院ＨＢの受け付けに設置された情報受信機器（図示せず）を介してＢ病院のサーバー８０に送信される。Ｂ病院のサーバー８０に送信された未服薬情報は、例えば、紙等に印刷されカルテと共に医師に渡される。これにより、Ｂ病院ＨＢの医師は、薬剤を処方する際、少なくとも、患者の手元に残る未服薬の薬剤情報に基づいて、より適切に薬剤の処方チェックを行うことができる。
【００３３】
続いて、図４の概要フローチャート図で前述した工程Ｓ１２、工程Ｓ１４、工程Ｓ１６の処理についてより詳細に説明する。
【００３４】
［処方された薬剤の情報に基づく薬剤及びバーコードの提供（図４の工程Ｓ１２）］
図６は、Ａ病院ＨＡで処方された薬剤の情報ＰＸ１、ＰＸ２に基づく薬剤及びバーコードの提供に係る処理（図４のＳ１２）の詳細を説明するフローチャート図である。Ａ病院の医師は、患者に薬剤を処方する際、当該薬剤の処方情報を電子カルテシステムＳ１に登録する（Ｓ２１）。医師は、薬剤の処方情報ＰＸ１、ＰＸ２として、例えば、薬剤名、単位服薬数量、用法、服薬開始日等を入力する。その一例が、同図右の薬剤の処方情報ＰＸ１、ＰＸ２である。
【００３５】
図６の例では、患者は、Ａ病院で内科と神経内科とを受診し、各科でそれぞれ薬剤の処方を受けている。処方情報ＰＸ１によると内科で内服薬（薬Ａ〜薬Ｃ）と頭痛のための頓服薬（薬Ｅ）が、処方情報ＰＸ２によると神経内科で内服薬（薬Ｄ）が処方されている。そして、電子カルテシステムＳ１に入力された薬剤の処方情報ＰＸ１、ＰＸ２は服薬管理情報の形式に変換され、服薬管理情報ＤＢ１１に記憶される（Ｓ２２）。続いて、服薬管理情報ＤＢ１１について例示する。
【００３６】
図７は、Ａ病院のサーバー１０の服薬管理情報ＤＢ１１が有する服薬管理情報ＰＤの一覧を表す例図である。サーバー１０の服薬管理情報ＤＢ１１には、例えば、Ａ病院で薬剤の処方を受けた全ての患者の服薬管理情報ＰＤが記憶される。同図の例では、患者が６月３０日に処方された服薬管理情報ＰＤが表されている。
【００３７】
図７において、本実施の形態例の服薬管理情報ＰＤは、少なくとも薬剤識別情報と服薬予定に関する予定情報とを有する。例えば、薬剤識別情報は同図の薬剤名または薬剤コードに対応し、予定情報は同図の服薬予定日、用法、時間（服薬時間）、及び、当該情報の組み合わせに対応する。具体的に、同図の服薬管理情報ＰＤ１は、薬剤識別情報として「薬Ａ」または「薬剤識別コード（薬剤コード）：０００００００１」を、予定情報として「２０１０／０７／０１（服薬予定日）」、「昼食前（用法）」、「１２：００（時間）」等を有する。なお、本実施の形態例における服薬管理情報ＰＤは、さらに、薬剤が処方された医療機関、患者氏名、オーダー（処方）発行日、服薬開始日、薬種別、１回数量（以下、服薬単位数量）等を有する。
【００３８】
また、図７において、頓服薬の服薬管理情報ＰＤは、予定情報を有さず、少なくとも、薬剤識別情報とその服薬単位数量、服薬限度期間内の服薬限度数量を有する。例えば、同図の頓服薬Ｅの服薬管理情報ＰＤ２は、図５で前述したとおり、服薬単位数量（単位数量）として「１錠」、服薬限度期間内の服薬限度数量として「２４：００／３錠」の情報を有する。なお、同図の頓服回数とは処方量における頓服回数であり、本実施の形態例における頓服薬Ｅの頓服回数は５回（１錠×５回）である。
【００３９】
図６のフローチャート図に戻り、処方された薬剤の処方情報が服薬管理ＤＢに記憶されると（Ｓ２２）、電子カルテシステムＳ１は、服薬管理情報ＤＢ１１から処方した薬剤の服薬管理情報ＰＤを特定する服薬管理バーコード情報を、薬剤の処方情報と共に調剤システムＳ２に出力する（Ｓ２３）。続いて、調剤システムＳ２は、電子カルテシステムＳ１から出力された薬剤の処方情報に基づいて、各薬剤、または、一包化された薬剤に対応する薬剤識別バーコード情報をそれぞれ生成する。そして、調剤システムＳ２は、薬剤識別バーコード情報に基づいて薬剤識別バーコードを（Ｓ２４）、電子カルテシステムＳ１から出力された服薬管理バーコード情報に基づいて服薬管理バーコードを（Ｓ２５）、薬袋やお薬説明書、一包化された薬包に印刷する。そして、処方された薬剤が、服薬管理バーコードＢＣ及び薬剤識別バーコードＢＤ１〜ＢＤ５と共に、患者に提供される（Ｓ２６）。
【００４０】
このようにして、Ａ病院ＨＡで処方された薬剤の情報に基づいて、処方された薬剤と共に、服薬管理バーコードＢＣ及び薬剤識別バーコードＢＤ１〜ＢＤ５が患者に提供される。そして、図４の概要のフローチャート図で前述したとおり、この後の工程（図４のＳ１３）で、患者は、携帯電話端末３０のカメラユニット３６によって服薬管理バーコードＢＣを読み取り、Ａ病院のサーバー１０の服薬管理情報ＤＢ１１から、処方された薬剤に対応する服薬管理情報ＰＤを携帯電話端末３０に受信し記憶させる。続いて、携帯電話端末３０に記憶された服薬管理情報ＰＤを例示する。
【００４１】
図８は、携帯電話端末３０に記憶された服薬管理情報ＰＤの一例を表す図である。本実施の形態例において服薬管理情報ＰＤは、服薬履歴情報ＰＨとの関連付けを容易にするために、Ａ病院のサーバー１０の服薬管理情報ＰＤ（図７）の形式から多少の変更が行われている。具体的に、サーバー１０の服薬管理情報ＰＤ（図７）は、５回の頓服回数分処方された頓服薬Ｅについて、１つの服薬管理情報ＰＤ２（図７）を有するのに対し、携帯電話端末３０は、服薬単位に展開された５つの服薬管理情報ＰＤ３（図８）を有する。また、携帯電話端末３０は、頓服薬Ｅについて、別途、頓服薬Ｅの服薬限度期間と服薬限度数量「２４：００／３錠」を示す情報ＰＤｔを有する。
【００４２】
これにより、頓服薬について、服薬管理情報ＰＤが服薬単位毎に展開され、服薬履歴情報ＰＨへの関連付けが容易になる。ただし、携帯電話端末３０の服薬管理情報ＰＤは、必ずしも、図８のように変更が加えられる必要はなく、サーバー１０の服薬管理情報ＰＤ（図７）と同じ形式で記憶されてもよい。この場合、頓服薬Ｅのひとつの服薬管理情報ＰＤに対して、服薬単位毎の５つの服薬履歴情報ＰＨが関連付けて記憶される。
【００４３】
このように、図８のように、服薬管理情報ＰＤが携帯電話端末３０のメモリ３８に受信され記憶されると（図４のＳ１３）、続いて、携帯電話端末３０の服薬管理アプリケーション２１は、服薬履歴情報ＰＨの入力を受け付け可能状態になる。この時点では、各服薬管理情報ＰＤに対応する服薬履歴情報ＰＨは未服薬である旨の情報を有する。続いて、服薬管理アプリケーション２１による服薬履歴情報ＰＨの受け付け工程（図４のＳ１４）について、詳細に説明する。
【００４４】
［携帯電話端末３０による服薬履歴情報の受け付け（図４の工程Ｓ１４）：内服薬の場合］
図９は、携帯電話端末３０による服薬履歴情報ＰＨの受け付けに係る処理（図４のＳ１４）の詳細を説明するフローチャート図である。まず、予定情報が規定される内服薬の服薬履歴情報ＰＨの受け付け処理の流れについて説明する。
【００４５】
服薬対象の薬剤が頓服薬ではない場合（Ｓ４０のＮＯ）、つまり内服薬である場合、携帯電話端末３０の服薬管理アプリケーション２１は、メモリ３８に記憶する服薬管理情報の予定情報に対応して、携帯電話端末３０の表示画面に服薬喚起画面を出力する（Ｓ４１）。具体的に、服薬管理アプリケーション２１は携帯電話端末３０上で常駐して動作し、予定情報、または、その一定時間前になったら、携帯電話端末３０の表示画面に服薬を喚起する旨の情報を出力する。なお、服薬管理アプリケーション２１は、あわせてアラート音の出力や、服薬喚起メールの受信等によって服薬を喚起してもよい。
【００４６】
服薬喚起画面が出力されると（Ｓ４１）、患者は、服薬対象の薬剤に対応する薬剤識別バーコードを携帯電話端末３０のカメラユニット３６によって読み取る（Ｓ４２）。薬剤識別バーコードは、例えば、薬剤の予定情報や薬剤識別情報等の情報を有する。そして、薬剤識別バーコードの読み取りによって取得された情報が、服薬喚起された薬剤の携帯電話端末３０に記憶された服薬管理情報ＰＤと照合される（Ｓ４３）。
【００４７】
照合の結果、情報が適合し、適切な薬剤と判定された場合（Ｓ４３のＹＥＳ）、服薬管理アプリケーション２１は、適切な薬剤である旨の照合結果情報を表示画面に出力し、服薬、及び、服薬後の服薬完了指示の入力を促す。服薬完了指示を受け付けると（Ｓ４８）、服薬管理アプリケーション２１は、服薬済みであることを示す服薬履歴情報ＰＨを生成し服薬管理情報ＰＤの予定情報と関連付けてメモリに記憶する（Ｓ４９）。このとき、服薬管理アプリケーション２１は、例えば、服薬完了指示を受け付けた時間を服薬実施日及び服薬実施時間とみなし、服薬履歴情報ＰＨとして合わせて記憶してもよい。
【００４８】
一方、照合の結果、情報が適合せず、適切な薬剤ではないと判定された場合（Ｓ４３のＮＯ）、服薬管理アプリケーション２１は、不適切な薬剤である旨の情報を携帯電話端末３０の表示画面に出力し（Ｓ４４）、適切な薬剤の薬剤識別バーコードの読み取りを促す。
【００４９】
図１０は、図９のフローチャート図における内服薬の服薬履歴情報入力時の携帯電話端末３０の画面遷移を表す例図である。同図の画面ｓｃ１において、予定情報が７月１日の昼食前（この例では、１２：００）の薬Ａ、薬Ｄの服薬履歴情報の入力を促す服薬喚起画面の一例が表示されている（Ｓ４１）。また、画面ｓｃ１には、服薬対象の薬剤が適切か否かを服薬前に確認するための、薬剤識別バーコード読み取り用薬剤確認カメラ起動ボタンｆ１が表示される。
【００５０】
７月１日の１２：００に服薬喚起画面が表示されると、患者は、薬剤確認カメラ起動用ボタンｆ１を押下し、画面ｓｃ２のように、携帯電話端末３０のカメラユニット３６によって、昼食前の薬剤が一包化された薬包ｍ２の薬剤識別バーコードＢＤ２を読み取る（Ｓ４２）。この例において、薬剤識別バーコードＢＤ２は、少なくとも用法情報「昼食前」を有する。そこで、薬剤識別バーコードＢＤ２に基づく用法情報と、服薬喚起された７月１日 昼食前の薬Ａ、薬Ｄに対応する服薬管理情報とが照合される。そして、情報が適合するため（Ｓ４３のＹＥＳ）、服薬管理アプリケーション２１は、画面ｓｃ３のように、適切な薬剤である旨の情報を表示画面に出力し薬Ａ、薬Ｄの服薬を促す。
【００５１】
というのも、本実施の形態例において、服薬期間中、一包化された各用法（朝食前、昼食前等）に服薬する対象の薬剤は、毎日、同一である。そのため、薬剤識別バーコードの有する用法情報が服薬喚起対象の服薬管理情報の用法情報と適合すれば、服薬対象の薬剤が適切であることが証明される。一方、日によって、各用法の一包化薬剤が異なる場合は、例えば、薬剤識別バーコードは、用法情報に加えて服薬予定日を示す情報を保持する。これにより、同様にして、服薬対象の薬剤の服薬予定日と用法情報の適合が確認されることで、服薬対象の薬剤が適切であることが証明される。また、予定情報として服薬予定日のみが規定される場合、薬剤識別バーコードは服薬予定日のみを有し、服薬管理情報の服薬予定日と照合されてもよい。また、例えば、服薬対象の薬剤が一包化されていない場合、薬剤識別バーコードは薬剤識別情報（例えば、薬Ａ、薬Ｄ）を有し、服薬喚起された薬剤の服薬管理情報の薬剤識別情報と、薬剤識別バーコードの有する薬剤識別情報とが照合されてもよい。
【００５２】
そして、患者が薬Ａ、薬Ｄの服薬後、服薬完了ボタンｆ３を押下すると（Ｓ４８）、服薬管理アプリケーション２１は、昼食前に服薬予定の薬Ａ、薬Ｄの服薬が完了したものとみなし、当該薬剤が服薬済みであることを示す服薬履歴情報ＰＨを生成し、服薬管理情報ＰＤの予定情報と関連付けてメモリに記憶する（Ｓ４９）。これにより、画面ｓｃ５のように、７月１日 昼食前に対応する薬剤が服薬済み状態に更新される。
【００５３】
一方、例えば、携帯電話端末３０のカメラユニット３６によって夕食前の薬剤が一包化された薬包ｍ３の薬剤識別バーコードＢＤ３が読み取られた場合（Ｓ４２）、薬剤識別バーコードＢＤ３の有する用法情報と、服薬喚起された薬剤の服薬管理情報の用法情報との照合の結果、情報が適合しない（Ｓ４３のＮＯ）。そのため、服薬管理アプリケーション２１は、画面ｓｃ４のように、不適切な薬剤である旨の情報を表示画面に出力し（Ｓ４４）、薬剤再確認ボタンｆ２を表示して適切な薬剤の薬剤識別バーコードの読み取りを促す。
【００５４】
そして、図１１は、服薬管理情報に関連付けて記憶された服薬履歴情報ＰＨの一例を表す図である。この例において、７月１日の朝食前、昼食前の薬剤が服薬済みである。同図において、図１０の７月１日 昼食前の薬Ａ、薬Ｄに対応する服薬履歴情報ＰＨｘは、服薬済みであることを示す服薬状況「済」、服薬完了ボタンｆ３が押下された服薬実施日「２０１０／０７／０１」、服薬実施時間「１２：０３」の情報を有する。
【００５５】
このように、服薬管理アプリケーション２１は、内服薬に関する服薬履歴情報ＰＨを患者から受け付け、服薬管理情報に含まれる予定情報と関連付けてメモリ３８に記憶する。なお、服薬管理アプリケーション２１は、予定情報として服薬予定日のみを有する場合、服薬喚起を、当該服薬予定日の予め患者によって指定された時間に行ってもよい。
【００５６】
［携帯電話端末３０による服薬履歴情報の受け付け（図４の工程Ｓ１４）：頓服薬の場合］
図９の服薬履歴情報の入力処理のフローチャート図に戻り、次に、頓服薬の服薬履歴情報の受け付け処理の流れについて説明する。服薬対象の薬剤が頓服薬の場合（Ｓ４０のＹＥＳ）、患者は、頓服薬の服薬時に、服薬対象の頓服薬の薬剤識別バーコードを携帯電話端末３０のカメラユニット３６によって読み取る（Ｓ４５）。服薬管理アプリケーション２１は、読み取られた薬剤識別バーコードの有する薬剤識別情報に基づいて薬剤を認識し、当該頓服薬の服薬履歴情報に基づいて服薬限度期間内の服薬済み数量を取得する。そして、服薬管理アプリケーション２１は、服薬によって当該頓服薬の服薬管理情報の有する服薬限度期間内の服薬限度数量を超えるか否かを判定する（Ｓ４６）。
【００５７】
判定の結果、服薬限度数量を超えないと判定された場合（Ｓ４６のＹＥＳ）、服薬管理アプリケーション２１は、服薬、及び、服薬後の服薬完了指示の入力を促す。服薬完了指示を受け付けると（Ｓ４８）、服薬管理アプリケーション２１は、服薬済みであることを示す服薬履歴情報ＰＨを生成し服薬管理情報ＰＤに関連付けて記憶する（Ｓ４９）。一方、服薬によって服薬限度数量を超えると判定された場合（Ｓ４６のＮＯ）、服薬管理アプリケーション２１は、服薬限度数量を超える服薬である旨の警告情報を表示画面に出力する（Ｓ４７）。
【００５８】
図１２は、図９のフローチャート図における頓服薬の服薬履歴情報入力時の携帯電話端末３０の画面遷移を表す例図である。同図の画面ｓｃ１１のように、患者は、頓服薬Ｅを服薬しようとするとき、カメラユニット３６を起動して薬袋Ｅｔまたはお薬の説明書Ｍｄ等に印刷された頓服薬Ｅの薬剤識別バーコードＢＤ５を読み取る（Ｓ４５）。そして、服薬管理アプリケーション２１は、薬剤識別バーコードＢＤ５に基づいて頓服薬Ｅであることを認識し、頓服薬Ｅに係る服薬履歴情報ＰＨに基づいて、頓服薬がどの期間にどの程度服薬済みであるかの情報を取得する。そして、服薬管理アプリケーション２１は、頓服薬Ｅの服薬済み数量に服薬単位数量「１錠」を加えた場合、頓服薬Ｅの服薬管理情報ＰＤの有する服薬限度期間内の服薬限度数量（２４時間に３錠）を超えるか否かを判定する（Ｓ４６）。
【００５９】
２４時間以内の頓服薬Ｅの服薬済み数量が２錠以内の場合、即ち、服薬限度数量を超えない場合（Ｓ４６のＹＥＳ）、服薬管理アプリケーション２１は、画面ｓｃ１２のように、頓服薬Ｅの服薬を促す。なお、図示していないが、この時、服薬管理アプリケーション２１は、表示画面に、薬剤識別情報バーコードに対応する薬剤の情報を表示してもよい。これにより、患者は、服薬しようとする薬剤の情報をより明確に認知することができる。
【００６０】
そして、患者が頓服薬Ｅの服薬後、服薬完了ボタンｆ３を押下すると（Ｓ４８）、服薬管理アプリケーション２１は、頓服薬Ｅの服薬が完了したものとみなし、当該薬剤が服薬済みであることを示す服薬履歴情報ＰＨを生成し、服薬管理情報ＰＤに関連付けて記憶する（Ｓ４９）。一方、２４時間以内の頓服薬Ｅの服薬済み数量が３錠以上の場合（Ｓ４６のＮＯ）、服薬管理アプリケーション２１は、画面ｓｃ１３のように、服薬限度数量を超える服薬である旨の警告情報を出力し（Ｓ４７）、必要に応じて医療機関の連絡先等を表示する。
【００６１】
以上のようにして、本実施の形態例における服薬管理アプリケーション２１は、薬剤の服薬履歴情報ＰＨの入力を促し、入力された服薬履歴情報ＰＨを服薬管理情報ＰＤに関連付けてメモリ３８に記憶する。また、服薬管理アプリケーション２１は、予定情報が規定された薬剤（内服薬）について、予定情報に基づいて薬剤を服薬する日時に服薬喚起画面を表示画面に出力すると共に、服薬対象の薬剤に対応する薬剤識別バーコードを携帯電話端末３０のカメラユニット３６に読み取らせて、服薬喚起された薬剤の服薬管理情報と照合し適切な薬剤であるか否かをチェックする。これにより、服薬管理アプリケーション２１は、適切な予定情報に基づく薬剤の服薬日時に、適切な薬剤の服薬を促すことができ、精度の高い服薬履歴情報ＰＨを記憶することができる。
【００６２】
また、本実施の形態例における服薬管理アプリケーション２１は、頓服薬の情報入力時に、当該頓服薬の服薬履歴情報に基づいて服薬により服薬限度期間内の服薬限度数量を超えるか否かを判定し、超えない場合に当該頓服薬の服薬履歴情報の入力を促す。これにより、患者は、服薬限度数量を超える頓服薬の服薬を回避することができる。
【００６３】
なお、服薬管理アプリケーション２１は、予定情報に基づく服薬喚起を行わず、服薬時に、患者に予定情報や薬剤識別情報に対応するチェックボックス等を表示画面上でチェックさせることによって、服薬履歴情報ＰＨを入力させてもよい。また、服薬管理アプリケーション２１は、頓服薬についても同様にして、服薬時に、患者に服薬対象の薬剤に対応するチェックボックス等を表示画面上でチェックさせることにより、その服薬履歴情報ＰＨを入力させてもよい。
【００６４】
このようにして、携帯電話端末３０のメモリ３８に服薬履歴情報ＰＨが記憶される。続いて、図４の概要フローチャート図で前述したとおり、患者がＢ病院から薬剤の処方を受ける際に、服薬管理アプリケーション２１は、携帯電話端末３０に記憶された服薬履歴情報ＰＨに基づいて、処方された薬剤のうち服薬済みではない薬剤の有無に関する未服薬情報をＢ病院のサーバー８０に送信する（図４の工程Ｓ１５、Ｓ１６）。未服薬情報は、例えば、ＣＳＶ等のデータ形式で送信される。この処理の詳細について説明する。
【００６５】
［他の医療機関への各情報の送信（図４の工程Ｓ１６）］
具体的に、服薬管理アプリケーション２１は、例えば、未服薬であることを示す服薬履歴情報ＰＨに対応する薬剤情報を有する未服薬情報をＢ病院のサーバー８０に送信する。これにより、Ｂ病院ＨＢの医師は、Ａ病院ＨＡで処方された薬剤のうち服薬されていない、即ち、患者の手元にありこれから服薬される可能性のある薬剤を特定することができる。これにより、Ｂ病院ＨＢの医師は、服薬の可能性がある薬剤の情報に基づいた併用禁忌チェックを行うことができる。
【００６６】
具体的に、７月１日から１４日間の服薬期間を終えて、７月１０日 昼食前に薬Ａ、薬Ｄが服薬されなかった場合を例示する。この場合、７月２０日に患者がＢ病院の診療を受ける場合、患者の手元に残っている薬Ａ、薬Ｄの情報を有する未服薬情報が少なくともＢ病院のサーバー８０に送信される。これにより、Ｂ病院ＨＢの医師は、薬Ａ、薬Ｄと併用禁忌に当たらないように薬剤を処方することができる。
【００６７】
また、未服薬情報は、服薬されていない薬剤の数量情報を有していてもよい。これにより、Ｂ病院ＨＢの医師は、患者の手元にある薬剤と同じ薬剤を処方する場合、未服薬情報の有する数量情報に基づいた極量チェックを行うことができる。このようにして、Ｂ病院ＨＢの医師は、薬剤の処方チェックをより適切に行うことができる。
【００６８】
また、服薬管理アプリケーション２１は、例えば、未服薬情報に加えて一定期間内の服薬管理情報ＰＤと服薬履歴情報ＰＨを、Ｂ病院のサーバー８０に送信してもよい。というのも、一般的に併用禁忌チェックの対象となるのは、一定期間内に服薬済みの薬剤、及び、今後服薬される薬剤である。これにより、Ｂ病院ＨＢの医師は、一定期間内に予定情報を有する薬剤の服薬状況と、患者の手元にあり今後服薬される可能性のある薬剤情報とに基づいてより適切に併用禁忌チェックを行うことができる。
【００６９】
以上のようにして、本実施の形態例における服薬管理システムは、第１の医療機関（Ａ病院ＨＡ）の第１のサーバー１０と、第２の医療機関（Ｂ病院ＨＢ）の第２のサーバー８０と、各サーバーとそれぞれ通信可能な携帯電話端末３０とを有する。そして、Ａ病院のサーバー１０は、Ａ病院で処方された薬剤の薬剤識別情報と服薬予定に関する予定情報とを少なくとも有する服薬管理情報ＰＤを携帯電話端末３０に送信する。そして、携帯電話端末３０は、Ａ病院の第１のサーバー１０から受信した服薬管理情報ＰＤをメモリ３８に記憶し、薬剤の服薬に関する服薬履歴情報ＰＨをユーザ（患者）から受け付けた場合に、服薬管理情報に含まれる予定情報と関連付けてメモリに記憶すると共に、服薬履歴情報ＰＨと服薬管理情報ＰＤとに基づいて、処方された薬剤のうち服薬済みではない薬剤の有無に関する未服薬情報をＢ病院の第２のサーバー８０に送信する。
【００７０】
これにより、本実施の形態例の服薬管理システムは、薬識手帳やお薬手帳を用いる場合と異なり、常に携帯され情報の即時的な入力が可能な携帯電話端末３０に服薬履歴情報ＰＨをユーザから受け付け、医療機関から処方された薬剤情報を有する服薬管理情報ＰＤに含まれる予定情報と関連付けてメモリ３８に記憶させる。従って、携帯電話端末３０のメモリ３８には、患者が何時、何処にいても、服薬管理情報ＰＤと対応する服薬履歴情報ＰＨとが常に最新の状態で記憶される。
【００７１】
これにより、患者が他の医療機関を受診する場合であっても、他の医療機関の医師は、患者の携帯電話端末３０に記憶された最新の服薬管理情報ＰＤ及び服薬履歴情報ＰＨに基づく未服薬情報によって、適切に薬剤の処方チェックを行うことができる。また、患者が地域医療連携システムの対象地域に属していても、出張や旅行等時に緊急的に地域医療連携システム外の医療機関で薬剤の処方を受ける場合があるが、この場合にも有効である。また、他の医療機関のサーバーは情報受信手段を有していれば、別途、共有サーバーの設置等の設備投資や管理を要しないため、容易に、異なる医療機関で処方された患者の薬剤の服薬管理情報ＰＤ及び服薬履歴情報ＰＨを共有することができる。
【００７２】
また、本実施の形態例における服薬管理システムは、服薬管理情報ＰＤに加えて服薬履歴情報ＰＨを携帯電話端末３０に記憶し、処方された薬剤のうち服薬済みではない薬剤の有無に関する未服薬情報を他の医療機関のサーバーに送信する。これにより、他の医療機関の医師は、服薬済みではない薬剤、即ち、患者の手元に残っており今後服薬される可能性のある薬剤に基づいた適切な併用禁忌チェックを行うことができる。また、他の医療機関の医師は、患者の手元に残っている薬剤とその数量情報に基づいた極量チェックと、当該情報に基づいた薬剤の処方量の調整を適切に行うことができる。
【００７３】
また、本実施の形態例における服薬管理システムは、未服薬情報に加えて一定期間内の服薬管理情報ＰＤと服薬履歴情報ＰＨとを他の医療機関のサーバーに送信してもよい。これにより、他の医療機関の医師は、併用禁忌チェックの対象となる一定期間内に服薬済みの薬剤情報と、今後服薬される可能性のある薬剤情報とに基づいた適切な併用禁忌チェックを行うことができる。さらに、本実施の形態例における服薬管理アプリケーション２１は、携帯電話端末３０に記憶された全ての服薬管理情報ＰＤと服薬履歴情報ＰＨではなく、限定した情報をＢ病院のサーバー８０に送信することによって、送信データ量を抑えることができる。
【００７４】
そして、本実施の形態例における服薬管理システムは、予定情報が規定される薬剤については、予定情報に基づいて薬剤を服薬する日時に携帯電話端末３０の表示画面に服薬喚起情報を出力する。これにより、患者による薬剤の飲み忘れと誤服薬を回避すると共に、予定情報に基づいて適切な服薬日時に適切な薬剤の服薬を促すことができる。また、服薬管理システムは、さらに、服薬喚起情報の出力時に、薬剤毎または一包化薬剤に対応して提供される薬剤識別バーコードを携帯電話端末３０のカメラユニット３６に読み取らせて取得した情報と、服薬喚起された薬剤情報とを照合し、適合する場合に適切な薬剤であるものと判定し当該薬剤識別バーコードに対応する薬剤の服薬を促す。これにより、服薬管理システムは、患者による誤服薬を回避する共に、入力された服薬履歴情報の精度をより高くすることができる。
【００７５】
このようにして、服薬管理システムは、適切な服薬日時に適切な薬剤の服薬を促すことによって、携帯電話端末３０のメモリ３８に、より精度の高い服薬履歴情報ＰＨを記憶させることができる。この結果、他の医療機関（Ｂ病院）の医師は、携帯電話端末３０に記憶された、常に最新の状態に更新され、情報の精度が高い服薬管理情報ＰＤ及び服薬履歴情報ＰＨに基づいた情報を参照することによって、別の医療機関（Ａ病院）で処方された薬剤との処方チェックをより適切に容易に行うことができる。
【００７６】
また、本実施の形態例における服薬管理システムは、服薬対象の頓服薬の情報入力に応答して、服薬により服薬限度期間内の服薬限度数量を超えるか否かを当該頓服薬の服薬履歴情報ＰＨに基づいて判定する。そして、服薬管理システムは、服薬限度数量を超える場合はその旨の警告情報を携帯電話端末３０の表示画面に出力させ、服薬限度数量を超えない場合に当該頓服薬の服薬履歴情報ＰＨの入力を促すと共に、入力された服薬履歴情報ＰＨを服薬管理情報ＰＤに関連付けて携帯電話端末３０のメモリ３８に記憶させる。これにより、服薬管理システムは、患者の服薬限度期間内の服薬限度数量を超える頓服薬の服薬を回避することができる。また、服薬管理システムは、服薬対象の頓服薬の情報を、カメラユニット３６による薬剤識別バーコードの読み取りによって入力させることにより、記憶する服薬履歴情報ＰＨの精度を高くすることができる。
【００７７】
なお、本実施の形態例では、異なる医療機関との間で服薬管理情報ＰＤと服薬履歴情報ＰＨとを共有する場合を例示したが、同じ医療機関内においても有効である。Ａ病院で処方された薬剤を服薬中の患者が、服薬期間中に再度Ａ病院の診療を受けた場合を例示する。この場合、Ａ病院のサーバー１０に、常に最新の状態に更新された服薬管理情報と服薬履歴情報とに基づく情報が送信されることによって、Ａ病院の医師は、薬剤の最新の服薬状況を参照することができる。これにより、Ａ病院の医師は、患者の手元に残っており今後服薬される可能性のある薬剤とその数量情報に基づいて、新たに処方する薬剤の処方チェックを適切に行うことができる。または、Ａ病院の医師は、併用禁忌チェックの対象となる一定期間内に服薬済みの薬剤情報と、今後服薬される薬剤情報とに基づいて、新たに処方する薬剤の併用禁忌チェックを行うことができる。
【００７８】
以上の実施の形態をまとめると、次の付記のとおりである。
【００７９】
（付記１）
第１の医療機関の第１のサーバーと、
第２の医療機関の第２のサーバーと、
前記第１、２のサーバーとそれぞれ通信可能な端末装置とを有する服薬管理システムであって、
前記第１のサーバーは、
前記第１の医療機関で処方された薬剤の薬剤識別情報と服薬予定に関する予定情報とを有する服薬管理情報を前記端末装置に送信する管理情報送信手段を有し、
前記端末装置は、
前記第１のサーバーまたは前記第２のサーバーと通信する通信手段と、
前記第１のサーバーから前記通信手段を介して受信した前記服薬管理情報を記憶するメモリと、
前記薬剤の服薬に関する服薬履歴情報をユーザから受け付けた場合に、前記服薬管理情報に含まれる前記予定情報と関連付けて前記メモリに記憶すると共に、前記服薬履歴情報と前記服薬管理情報とに基づいて、処方された前記薬剤のうち服薬済みではない薬剤の有無に関する未服薬情報を前記第２のサーバーに前記通信手段を介して送信する服薬管理手段とを有し、
前記第２のサーバーは、
前記端末装置から前記未服薬情報を受信する受信手段を有することを特徴とする服薬管理システム。
【００８０】
（付記２）
付記１において、
前記端末装置の前記服薬管理手段は、前記予定情報に基づいて、前記薬剤を服薬する日時に、前記薬剤の服薬を促す服薬喚起画面を前記端末装置の表示画面に出力する服薬管理システム。
【００８１】
（付記３）
付記２において、
前記第１のサーバーにより、前記服薬管理情報を特定する識別画像が、前記薬剤を処方する際に、前記薬剤と共に患者に提供され、
前記端末装置は、さらに、画像読み取り手段を有し、
前記服薬管理手段は、前記服薬喚起画面の出力時に、前記画像読み取り手段によって取得された前記識別画像から特定される前記服薬管理情報と、前記服薬を促された予定情報の前記薬剤の前記服薬管理情報とを照合し、照合結果情報を前記服薬喚起画面に表示する服薬管理システム。
【００８２】
（付記４）
付記３において、
前記識別画像は、前記予定情報毎に１包化された前記薬剤をそれぞれ特定する服薬管理システム。
【００８３】
（付記５）
付記１において、
前記服薬管理情報は、さらに、前記第１の医療機関で処方された前記予定情報が規定されていない他の薬剤の薬剤識別情報と、その服薬単位数量と、服薬限度期間内の服薬限度数量とを有し、
前記端末装置の前記服薬管理手段は、服薬対象の前記他の薬剤の前記薬剤識別情報の入力に応答して、前記メモリに記憶された当該他の薬剤の服薬履歴情報に基づいて服薬により前記服薬限度期間内の服薬限度数量を超えるか否かを判定し、超えない場合に前記他の薬剤の服薬履歴情報の入力を促し、入力された当該服薬履歴情報を前記服薬管理情報に関連付けて前記メモリに記憶する服薬管理システム。
【００８４】
（付記６）
付記１乃至５のいずれかにおいて、
前記端末装置の前記服薬管理手段は、前記未服薬情報に加えて一定期間内の前記服薬管理情報と前記服薬履歴情報を送信する服薬管理システム。
【００８５】
（付記７）
付記１乃至６のいずれかにおいて、
前記第１のサーバーは、前記服薬管理手段をコンピューターによって実現するアプリケーションプログラムを前記端末装置に送信し当該端末装置にインストール可能にする服薬管理システム。
【００８６】
（付記８）
第１の医療機関の第１のサーバーが、第２の医療機関の第２のサーバーと、前記第１、２のサーバーとそれぞれ通信可能な端末装置によって服薬管理サービスを提供する方法であって、
前記第１のサーバーが、前記第１の医療機関で処方された薬剤の薬剤識別情報と服薬予定に関する予定情報とを有する服薬管理情報を前記端末装置に送信する管理情報送信工程と、
前記端末装置が、前記第１のサーバーから受信した前記服薬管理情報を記憶し、前記予定情報に対応する前記薬剤の服薬に関する服薬履歴情報をユーザから受け付けた場合に、前記服薬管理情報に含まれる前記予定情報と関連付けて記憶すると共に、前記服薬履歴情報と前記服薬管理情報とに基づいて、処方された前記薬剤のうち服薬済みではない薬剤の有無に関する未服薬情報を前記第２のサーバーに送信する服薬管理工程と、
前記第２のサーバーが、前記端末装置から前記未服薬情報を受信する未服薬情報受信工程と、を有することを特徴とする服薬管理サービスを提供する方法。
【００８７】
（付記９）
付記８において、
前記服薬管理工程は、前記予定情報に基づいて、前記薬剤を服薬する日時に、前記薬剤の服薬を促す服薬喚起画面を前記端末装置の表示画面に出力する服薬管理サービスを提供する方法。
【００８８】
（付記１０）
付記８において、
前記服薬管理情報は、さらに、前記第１の医療機関で処方された前記予定情報が規定されていない他の薬剤の薬剤識別情報と、その服薬単位数量と、服薬限度期間内の服薬限度数量とを有し、
前記服薬管理工程は、服薬対象の前記他の薬剤の前記薬剤識別情報の入力に応答して、当該他の薬剤の服薬履歴情報に基づいて服薬により前記服薬限度期間内の服薬限度数量を超えるか否かを判定し、超えない場合に前記他の薬剤の服薬履歴情報の入力を促し、入力された当該服薬履歴情報を前記服薬管理情報に関連付けて記憶する服薬管理サービスを提供する方法。
【００８９】
（付記１１）
第１の医療機関の第１のサーバーと、第２の医療機関の第２のサーバーとそれぞれ通信可能な端末装置のプロセッサに、薬剤の服薬管理処理を実行させる前記プロセッサ読み取り可能な服薬管理プログラムにおいて、
前記服薬管理処理は、
前記第１の医療機関で処方された薬剤の薬剤識別情報と服薬予定に関する予定情報とを有する服薬管理情報を前記第１のサーバーから受信して記憶し、前記薬剤の服薬に関する服薬履歴情報をユーザから受け付けた場合に、前記服薬管理情報に含まれる前記予定情報と関連付けて記憶すると共に、前記服薬履歴情報と前記服薬管理情報とに基づいて、処方された前記薬剤のうち服薬済みではない薬剤の有無に関する未服薬情報を前記第２のサーバーに送信する服薬管理工程を、有する服薬管理プログラム。
【００９０】
（付記１２）
第１の医療機関の第１のサーバーと、
第２の医療機関の第２のサーバーと、
前記第１、２のサーバーとそれぞれ通信可能な端末装置とを有する服薬管理システムであって、
前記第１のサーバーは、
前記第１の医療機関で処方された他の薬剤の薬剤識別情報と、その服薬単位数量と、服薬限度期間内の服薬限度数量とを有する服薬管理情報を前記端末装置に送信する管理情報送信手段を有し、
前記端末装置は、
前記第１のサーバーまたは前記第２のサーバーと通信する通信手段と、
前記第１のサーバーから前記通信手段を介して受信した前記服薬管理情報を記憶するメモリと、
前記他の薬剤の前記薬剤識別情報の入力に応答して、前記メモリに記憶された当該他の薬剤の服薬に関する服薬履歴情報に基づいて服薬によって前記服薬限度期間内の服薬限度数量を超えるか否かを判定し、超えない場合に前記他の薬剤の服薬履歴情報の入力を促し、入力された当該服薬履歴情報を前記服薬管理情報に関連付けて前記メモリに記憶し、前記服薬履歴情報と前記服薬管理情報とに基づいて、処方された前記薬剤のうち服薬済みではない薬剤の有無に関する未服薬情報を前記第２のサーバーに前記通信手段を介して送信する服薬管理手段とを有し、
前記第２のサーバーは、
前記端末装置から前記未服薬情報を受信する受信手段を有することを特徴とする服薬管理システム。
【００９１】
（付記１３）
第１の医療機関の第１のサーバーと、第２の医療機関の第２のサーバーとそれぞれ通信可能な端末装置のプロセッサに、薬剤の服薬管理処理を実行させる前記プロセッサ読み取り可能な服薬管理プログラムにおいて、
前記服薬管理処理は、
前記第１の医療機関で処方された他の薬剤の薬剤識別情報と、その服薬単位数量と、服薬限度期間内の服薬限度数量とを有する服薬管理情報を前記第１のサーバーから受信して記憶し、服薬対象の前記他の薬剤の前記薬剤識別情報の入力に応答して、当該他の薬剤の服薬履歴情報に基づいて服薬により前記服薬限度期間内の服薬限度数量を超えるか否かを判定し、超えない場合に前記他の薬剤の服薬履歴情報の入力を促し、入力された当該服薬履歴情報を前記服薬管理情報に関連付けて記憶し、前記服薬履歴情報と前記服薬管理情報とに基づいて、処方された前記薬剤のうち服薬済みではない薬剤の有無に関する未服薬情報を前記第２のサーバーに送信する服薬管理工程を、有する服薬管理プログラム。
【符号の説明】
【００９２】
１０：Ａ病院のサーバー（第１のサーバー）、ＨＡ：Ａ病院（第１の医療機関）、８０：Ｂ病院のサーバー（第２のサーバー）、ＨＢ：Ｂ病院（第２の医療機関）、３０：携帯電話端末（端末装置）、１１：服薬管理情報ＤＢ、Ｓ１：電子カルテシステム、Ｓ２：調剤システム、Ｓ３：服薬管理情報インターフェース、３１：携帯電話端末のプロセッサ、３２：表示部、３３：操作部、３４：制御部、３５：通信ユニット、３６：カメラユニット、３７：スピーカーユニット、３８：メモリ、２１：服薬管理アプリケーションプログラム（服薬管理手段）
【図１】
0005817178.tif 000002
【図２】
0005817178.tif 000003
【図３】
0005817178.tif 000004
【図４】
0005817178.tif 000005
【図５】
0005817178.tif 000006
【図６】
0005817178.tif 000007
【図７】
0005817178.tif 000008
【図８】
0005817178.tif 000009
【図９】
0005817178.tif 000010
【図１０】
0005817178.tif 000011
【図１１】
0005817178.tif 000012
【図１２】
0005817178.tif 000013